(57)【要約】【課題】原稿と異なる用紙に画像を出力したり、原稿の読み取り環境と異なる環境下で画像を出力したりする場合であっても、出力した画像を原稿と同様の色合いで観察することができる技術を提供する。【解決手段】画像形成装置４は、原稿に光を当てるスキャナ部２２と、原稿から反射される光の分光分布を測定する分光測定部１１と、出力印刷物の分光反射率を演算し、出力印刷物から反射される光の分光分布を算出する演算部１４と、出力印刷物から反射される光の分光分布の分光強度が用紙の下地から反射される光の分光分布の分光強度よりも高い場合、出力印刷物から反射される光の分光分布の分光強度の値を補正する分光補正処理部１６と、出力印刷物から反射される光の分光分布に基づいて、用紙に応じたＣＭＹＫ出力値を生成する刺激値ＸＹＺ変換部１７及びＣＭＹＫ変換部１９と、ＣＭＹＫ出力値に基づいて印刷を行う印刷処理部とを備える。【選択図】図３
2012090100.tif 000002
【特許請求の範囲】
【請求項１】
原稿に光を当てる光源と、
前記原稿から反射される光の分光分布を測定する分光測定部と、
前記分光測定部により測定された前記原稿の分光分布と予め記憶されている観察環境光の分光分布とに基づいて、出力対象となる出力印刷物の分光反射率を演算する第１演算部と、
前記光源の分光分布と前記第１演算部により演算された前記出力印刷物の分光反射率とに基づいて、前記出力印刷物から反射される光の分光分布を算出する第２演算部と、
前記第２演算部により演算された前記出力印刷物から反射される光の分光分布の分光強度と用紙の下地から反射される光の分光分布の分光強度とを比較することにより、任意の波長に対応する分光強度の値に関して前記出力印刷物から反射される光の分光分布の分光強度が前記用紙の下地から反射される光の分光分布の分光強度よりも高いか否かを判断し、任意の波長に対応する分光強度の値に関して前記出力印刷物から反射される光の分光分布の分光強度が前記用紙の下地から反射される光の分光分布の分光強度よりも高いと判断された場合、前記出力印刷物から反射される光の分光分布の波形を維持しながら、すべての波長に対応する前記出力印刷物から反射される光の分光分布の分光強度の値を前記用紙の下地から反射される光の分光分布の分光強度の値よりも低い値又は同じ値に補正する補正部と、
前記第２演算部により演算された前記出力印刷物から反射される光の分光分布、又は前記補正部により補正された前記出力印刷物から反射される光の分光分布に基づいて、前記用紙に応じた印刷用データを生成する印刷用データ生成部と、
前記印刷用データ生成部により生成された印刷用データに基づいて印刷を行う印刷処理部と
を備える画像形成装置。
【請求項２】
請求項１に記載の画像形成装置において、
前記印刷用データ生成部は、
物体色の定義式を用いることにより、前記第２演算部により演算された前記出力印刷物から反射される光の分光分布、又は前記補正部により補正された前記出力印刷物から反射される光の分光分布から、物体の三刺激値を算出する三刺激値算出部を備え、
前記三刺激値算出部により算出された物体の三刺激値に基づいて、前記印刷用データを生成することを特徴とする画像形成装置。
【請求項３】
画像形成装置のコンピュータに、
原稿に光を当てる照射手順と、
前記原稿から反射される光の分光分布を測定する分光測定手順と、
前記分光測定手順で測定された前記原稿の分光分布と予め記憶されている観察環境光の分光分布とに基づいて、出力対象となる出力印刷物の分光反射率を演算する第１演算手順と、
前記光源の分光分布と前記第１演算手順で演算された前記出力印刷物の分光反射率とに基づいて、前記出力印刷物から反射される光の分光分布を算出する第２演算手順と、
前記第２演算手順で演算された前記出力印刷物から反射される光の分光分布の分光強度と用紙の下地から反射される光の分光分布の分光強度とを比較することにより、任意の波長に対応する分光強度の値に関して前記出力印刷物から反射される光の分光分布の分光強度が前記用紙の下地から反射される光の分光分布の分光強度よりも高いか否かを判断し、任意の波長に対応する分光強度の値に関して前記出力印刷物から反射される光の分光分布の分光強度が前記用紙の下地から反射される光の分光分布の分光強度よりも高いと判断された場合、前記出力印刷物から反射される光の分光分布の波形を維持しながら、すべての波長に対応する前記出力印刷物から反射される光の分光分布の分光強度の値を前記用紙の下地から反射される光の分光分布の分光強度の値よりも低い値又は同じ値に補正する補正手順と、
前記第２演算手順で演算された前記出力印刷物から反射される光の分光分布、又は前記補正手順で補正された前記出力印刷物から反射される光の分光分布に基づいて、前記用紙に応じた印刷用データを生成する印刷用データ生成手順と、
前記印刷用データ生成手順で生成された印刷用データに基づいて印刷を行う印刷処理手順と
を実行させるための画像形成プログラム。
【請求項４】
請求項３に記載の画像形成プログラムにおいて、
前記印刷用データ生成手順は、
物体色の定義式を用いることにより、前記第２演算手順で演算された前記出力印刷物から反射される光の分光分布、又は前記補正手順で補正された前記出力印刷物から反射される光の分光分布から、物体の三刺激値を算出する三刺激値算出手順を含み、
前記三刺激値算出手順で算出された物体の三刺激値に基づいて、前記印刷用データを生成する手順であることを特徴とする画像形成プログラム。
【発明の詳細な説明】
【技術分野】
【０００１】
本発明は、画像形成装置及び画像形成プログラムに関するものである。
【背景技術】
【０００２】
従来、この種の画像形成装置の先行技術として、異なる環境光の下であっても、色再現特性の異なるデバイス間で安定した色再現が可能な画像処理装置が知られている（例えば、特許文献１参照）。
この先行技術では、発光輝度のガンマ特性・３色蛍光体の色度座標・白色点・環境光の色温度を考慮して、入力ＲＧＢ信号を、ＸＹＺ信号、標準モニタＲＧＢ信号、表示用ＲＧＢ信号の順に変換する方法を採用している。
【０００３】
この先行技術によれば、コンピュータ内部で画像データを標準モニタの色空間信号に変換して扱い、色空間補正部で実際に使用するモニタの色再現特性に適合させるため、個々のモニタの色再現特性データを予め用意する必要はなく、そのとき実際に使用しているモニタ上に正しい色を再現することができると考えられる。
【０００４】
また、この種の画像形成装置の先行技術として、新たに使用される記録紙に応じて容易に階調・色再現性を切り換えることができる色変換方法が開示されている（例えば、特許文献２参照）。
この先行技術は、あらかじめ標準用紙の階調・色再現性を記憶しておき、他の用紙については、０％付近（用紙部）と０％以外（画像部）のそれぞれの信号強度における標準用紙との測光量、測色値比を元に再現性の相違を表現するものである。
【０００５】
この先行技術によれば、所定の信号強度で画像出力した標準用紙上の測光量等と、所定の信号強度で画像出力した対象用紙上の測光量等との比率に基づいて、他の信号強度においてもこの比率が保持されるように階調・色再現性を求めることができるので、簡易な調整で様々な記録紙に対応して階調・色再現性を決定することができると考えられる。
【０００６】
さらに、この種の画像形成装置の先行技術として、記録紙の色、あるいは環境光に応じて色補正する画像形成装置もある（例えば、特許文献３参照）。
【０００７】
この先行技術によれば、記録紙の色成分を測定したり、画像形成装置の設置場所の光源における光の種類を測定したりして色補正を行っているため、多種の記録紙や様々な設置場所に対応することができ、オペレータの負担を軽減させて事務処理効率を向上させることができると考えられる。
【先行技術文献】
【特許文献】
【０００８】
【特許文献１】特開平１０−３２２５６６号公報
【特許文献２】特開２００１−１１９５９４号公報
【特許文献３】特開平０７−１２３２８２号公報
【発明の概要】
【発明が解決しようとする課題】
【０００９】
しかし、上述した従来の技術では、以下のような問題がある。
（１）特許文献１の技術では、環境光補正のために、ＲＧＢ信号からＸＹＺ信号に変換を行っているが、この変換は、ＲＧＢ等色関数の係数を用いており、各波長単位での調整は行われていない。このため、すべての波長の値を考慮した変換処理は行えないという問題がある。
【００１０】
（２）特許文献２の技術では、個々の色の再現は可能である。しかし、スキャンした原稿と異なる紙に実際に画像を出力する際には、スキャンした画像と出力した画像とを同じような画像としてユーザに見せるために、出力用紙における背景（下地）の違いによる対比効果（錯覚）を考慮する必要がある。この点、特許文献２の技術では、そのような対策がなされていない。
【００１１】
（３）特許文献３の技術では、記録紙の色、あるいは環境光に応じて色補正を行っているが、両者のいずれかを適宜選択しているだけであり、記録紙と環境光との組み合わせについては対処されていない。すなわち、実際の印刷の場面では、記録紙や環境光等の様々な外部要因を考慮して印刷を行う必要があり、特許文献３の技術では、色補正の精度に欠けるという問題がある。また、特許文献３の技術のように、異なる環境光下や異なる出力用紙に対して補正を行い色再現を行っても、プロセスカラー（ＣＭＹＫ）では出力用紙の色よりも明度の高いものは印刷することができない。そのため、背景色と印刷部とを対比した場合には、原稿の色と同色に見えない（原稿の画像が忠実に再現されない）ことが考えられる。
【００１２】
そこで本発明は、原稿と異なる用紙に画像を出力したり、原稿の読み取り環境と異なる環境下で画像を出力したりする場合であっても、出力した画像を原稿と同様の色合いで観察することができる技術の提供を課題としたものである。
【課題を解決するための手段】
【００１３】
上記課題を解決するため、本発明は、第１に画像形成装置を提供する。また本発明は、第２に画像形成プログラムを提供する。
【００１４】
〔画像形成装置〕
本発明の画像形成装置は、原稿に光を当てる光源と、原稿から反射される光の分光分布を測定する分光測定部と、分光測定部により測定された原稿の分光分布と予め記憶されている観察環境光の分光分布とに基づいて、出力対象となる出力印刷物の分光反射率を演算する第１演算部と、光源の分光分布と第１演算部により演算された出力印刷物の分光反射率とに基づいて、出力印刷物から反射される光の分光分布を算出する第２演算部と、第２演算部により演算された出力印刷物から反射される光の分光分布の分光強度と用紙の下地から反射される光の分光分布の分光強度とを比較することにより、任意の波長に対応する分光強度の値に関して出力印刷物から反射される光の分光分布の分光強度が用紙の下地から反射される光の分光分布の分光強度よりも高いか否かを判断し、任意の波長に対応する分光強度の値に関して出力印刷物から反射される光の分光分布の分光強度が用紙の下地から反射される光の分光分布の分光強度よりも高いと判断された場合、出力印刷物から反射される光の分光分布の波形を維持しながら、すべての波長に対応する出力印刷物から反射される光の分光分布の分光強度の値を用紙の下地から反射される光の分光分布の分光強度の値よりも低い値又は同じ値に補正する補正部と、第２演算部により演算された出力印刷物から反射される光の分光分布、又は補正部により補正された出力印刷物から反射される光の分光分布に基づいて、用紙に応じた印刷用データを生成する印刷用データ生成部と、印刷用データ生成部により生成された印刷用データに基づいて印刷を行う印刷処理部とを備える画像形成装置である。
【００１５】
この発明によれば、原稿の分光分布と観察環境光の分光分布とに基づいて出力印刷物の分光反射率を算出し、光源の分光分布と出力印刷物の分光反射率とに基づいて出力印刷物から反射される光の分光分布を算出するので、観察環境光を考慮した分光分布を算出することができる。
また、印刷用データを生成する際には、出力用紙に応じた印刷用データを生成するので、出力用紙を考慮した印刷用データを生成することができる。
したがって、原稿を読み込み、環境光を設定するだけの簡単な処理により、観察環境光及び出力用紙の違いを考慮に入れた画像の出力処理（コピー処理）を行うことができる。
【００１６】
さらに、出力印刷物から反射される光の分光分布の分光強度が用紙の下地から反射される光の分光分布の分光強度よりも高い場合、出力印刷物から反射される光の分光分布の波形を維持しながら分光強度の値を補正するので、出力印刷物の全体の印象（出力イメージ）を保ちながら出力物を得ることができる。
【００１７】
すなわち、用紙の下地色よりも出力対象の画像の明度が高く、背景等が忠実に色再現されない場合であっても、出力印刷物から反射される光の分光分布の波形を維持しながら分光強度の補正を行うことにより、出力画像全体としての印象が変わらない出力物を得ることができる。
【００１８】
画像形成装置の構成として、印刷用データ生成部は、物体色の定義式を用いることにより、第２演算部により演算された出力印刷物から反射される光の分光分布、又は補正部により補正された出力印刷物から反射される光の分光分布から、物体の三刺激値を算出する三刺激値算出部を備え、三刺激値算出部により算出された物体の三刺激値に基づいて、印刷用データを生成することが好ましい。
【００１９】
この発明によれば、物体色の定義式を用いることにより、出力印刷物から反射される光の分光分布から、物体の三刺激値を算出し、算出された物体の三刺激値に基づいて、印刷用データを生成するので、定められた定義式を用いて簡単かつ迅速に変換処理を行うことができる。
【００２０】
〔画像形成プログラム〕
本発明の画像形成プログラムは、画像形成装置のコンピュータに、原稿に光を当てる照射手順と、原稿から反射される光の分光分布を測定する分光測定手順と、分光測定手順で測定された原稿の分光分布と予め記憶されている観察環境光の分光分布とに基づいて、出力対象となる出力印刷物の分光反射率を演算する第１演算手順と、光源の分光分布と第１演算手順で演算された出力印刷物の分光反射率とに基づいて、出力印刷物から反射される光の分光分布を算出する第２演算手順と、第２演算手順で演算された出力印刷物から反射される光の分光分布の分光強度と用紙の下地から反射される光の分光分布の分光強度とを比較することにより、任意の波長に対応する分光強度の値に関して出力印刷物から反射される光の分光分布の分光強度が用紙の下地から反射される光の分光分布の分光強度よりも高いか否かを判断し、任意の波長に対応する分光強度の値に関して出力印刷物から反射される光の分光分布の分光強度が用紙の下地から反射される光の分光分布の分光強度よりも高いと判断された場合、出力印刷物から反射される光の分光分布の波形を維持しながら、すべての波長に対応する出力印刷物から反射される光の分光分布の分光強度の値を用紙の下地から反射される光の分光分布の分光強度の値よりも低い値又は同じ値に補正する補正手順と、第２演算手順で演算された出力印刷物から反射される光の分光分布、又は補正手順で補正された出力印刷物から反射される光の分光分布に基づいて、用紙に応じた印刷用データを生成する印刷用データ生成手順と、印刷用データ生成手順で生成された印刷用データに基づいて印刷を行う印刷処理手順とを実行させるための画像形成プログラムである。
【００２１】
また、本発明の画像形成プログラムの構成として、印刷用データ生成手順は、物体色の定義式を用いることにより、第２演算手順で演算された出力印刷物から反射される光の分光分布、又は補正手順で補正された出力印刷物から反射される光の分光分布から、物体の三刺激値を算出する三刺激値算出手順を含み、三刺激値算出手順で算出された物体の三刺激値に基づいて、印刷用データを生成する手順であることが好ましい。
【００２２】
これらの発明によれば、上述した画像形成装置の発明と同様な効果を得つつ、その効果をプログラム（ソフトウエア）で実現することができるという有用性がある。
【発明の効果】
【００２３】
本発明によれば、環境光のみならず出力用紙も考慮して演算処理を行うことにより、原稿から得られる画像を環境光や出力用紙に対応させた態様で出力することができる。
【図面の簡単な説明】
【００２４】
【図１】画像形成システムの構成図である。
【図２】画像形成装置の概略構成図である。
【図３】画像形成装置による制御処理の流れを概念的に示す制御ブロック図である。
【図４】画像形成装置により実行されるメイン処理について説明するフローチャートである。
【図５】出力用紙の下地色判定処理の詳細について説明するフローチャートである。
【図６】ＣＭＹＫ出力値への変換処理の詳細について説明するフローチャートである。
【図７】画像形成処理の内容を説明するための概念図である。
【図８】画像形成処理の内容を説明するための概念図である。
【図９】画像形成処理の内容を説明するための概念図である。
【図１０】補正処理の概念について示す図である。
【図１１】画像形成装置による印刷イメージを概念的に説明する図である。
【発明を実施するための形態】
【００２５】
以下、本発明の画像形成装置及び画像形成プログラムの実施形態について説明する。
【００２６】
図１は、本実施形態に係る画像形成システムの構成図である。
画像形成システム１は、例えばＬＡＮ等のネットワーク２を用いて構成され、このネットワーク２には、画像形成装置４及び複数のクライアントＰＣ（パーソナルコンピュータ）６がそれぞれ接続されている。
ユーザは、画像形成装置４を直接操作して画像形成装置４を動作させることができる。また、ユーザは、クライアントＰＣ６を操作することにより、ネットワーク２を介して画像形成装置４を間接的に動作させることもできる。
【００２７】
図２は、画像形成装置の概略構成図である。
画像形成装置４は、例えばデジタル複合機を一例として挙げることができ、ネットワークインターフェース２６を介してネットワーク２（図１参照）に接続され、公衆回線にも接続されている。画像形成装置４は、いわゆる多機能周辺機器（Ｍｕｌｔｉｐｌｅ  Ｆｕｎｃｔｉｏｎ  Ｐｅｒｉｐｈｅｒａｌ）であり、プログラムの命令にしたがって各種動作を実行する。
【００２８】
この画像形成装置４には、例えば、印刷機能、送信機能及びボックス機能（保存機能）が備えられている。
より具体的には、ＨＤＤ（ハードディスク）３２は、スキャナ部２２で読み込まれたデータや、クライアントＰＣ６（図１参照）から送信されたデータ、ＦＡＸ通信部２４にて受信したデータ等の種々のデータを逐次保存するボックス機能を有している。ボックス機能は、ＨＤＤ３２のボックス部３４によって実現される。
【００２９】
ＦＡＸ通信部２４は、公衆回線に接続し、又はネットワークインターフェース２６を介して外部の装置とＦＡＸデータを通信する装置である。ＦＡＸ通信部２４は、ＨＤＤ３２に保存されたデータを相手先に向けて送信する送信機能を有している。また、ＦＡＸ通信部２４は、外部からＦＡＸ送信されて来たデータを受信する機能を有している。
【００３０】
プリントエンジン（印刷処理部）２０は、スキャナ部２２で読み込まれてＨＤＤ３２に保存されたデータを印刷する装置である。プリントエンジン２０は、スキャナ部２２の画像読取位置に原稿を搬送する自動原稿搬送装置（ＡＤＦ）、用紙を供給する用紙供給部、画像を用紙に転写する画像形成部、転写済みの用紙にソート、孔開けやステープル処理等を行う後処理装置等に接続されている。
【００３１】
また、画像形成装置４は、操作パネル２８を備えている。操作パネル２８は、タッチパネル式の入力兼表示装置である。操作パネル２８には、タッチ操作用のボタンの他、文字情報や案内画像等が表示され、ユーザの操作を受け付け可能に構成されている。操作パネル２８によるユーザの操作内容は、制御部１０に通知される。
【００３２】
さらに、画像形成装置４は、メモリ３０を備えている。メモリ３０はＲＯＭやＲＡＭ等を有しており、印刷に伴う設定データや各種のプログラム（画像形成プログラム等）が格納されている。
【００３３】
画像形成装置４の各種動作は、制御部１０により制御される。制御部１０は、コンピュータとして機能する要素であり、ＣＰＵ等のハードウエア資源を有している。そして、制御部１０は、このハードウエア資源を用いて所定のプログラム（画像形成プログラム等）を実行して、上述のプリントエンジン２０やスキャナ部２２、ＦＡＸ通信部２４を制御する。
【００３４】
次に、画像形成装置４による制御処理の流れを説明する。
図３は、画像形成装置による制御処理の流れを概念的に示す制御ブロック図である。
制御部１０（図２参照）は、画像形成プログラムを実行して、演算部（第１及び第２演算部）１４、分光補正処理部（補正部）１６、刺激値ＸＹＺ変換部（印刷用データ生成部の一部（三刺激値算出部））１７、及びＣＭＹＫ変換部（印刷用データ生成部の一部）１９を構成する。
【００３５】
また、制御部１０は、画像形成プログラムを実行して、分光データ保存部１２、環境光分光データ保存部１３、用紙下地色分光データ保存部１５、及びＣＭＹＫ変換プロファイル保存部１８を、メモリ３０又はＨＤＤ３２（図２参照）に実装する。
【００３６】
図３に示すように、スキャナ部２２は、読み込み対象となる原稿や出力対象となる用紙に光を当てる光源を有し、原稿や出力用紙から反射される光を読み取る装置である。
【００３７】
スキャナ部２２には、分光測定部１１が設けられている。
分光測定部１１は、スキャナ部２２にて光を当てた原稿の処理要素単位（例えばピクセル単位）ごとに反射される光の分光分布、及びスキャナ部２２にて光を当てた原稿又は出力用紙の下地（下地部分）から反射される光の分光分布を測定する分光光度計である。
分光測定部１１で測定されたデータのうち、原稿の分光分布は、分光データ保存部１２に送信され、出力用紙の下地から反射される光の分光分布は、用紙下地色分光データ保存部１５に送信される。
【００３８】
分光データ保存部１２は、各種分光データを保存する制御ブロックである。具体的には、分光データ保存部１２は、分光測定部１１で測定した原稿から反射される光の分光分布、後述する演算部１４における演算処理後の分光分布、及び後述する分光補正処理部１６における補正処理後の分光分布を保存する。
【００３９】
操作パネル２８は、ユーザからの入力情報（観察環境光の情報や出力用紙の情報等）を受け取る入力装置である。
【００４０】
環境光分光データ保存部１３は、各種の環境光データを保存する制御ブロックである。具体的には、環境光分光データ保存部１３は、一般によく用いられる標準光源（例えば、Ｄ５０、Ｄ６０、白熱電球等）及びユーザがダウンロード等の手段により予め登録した光源の分光分布を保存している。
【００４１】
演算部１４は、分光データ保存部１２から分光測定部１１で測定した原稿から反射される光の分光分布を読み出すとともに、操作パネル２８によりユーザに指定された環境光の分光分布を環境光分光データ保存部１３から読み出して、出力印刷物から反射される光の分光分布を算出する制御ブロックである。
【００４２】
用紙下地色分光データ保存部１５は、用紙の下地色に関する分光データを保存して、下地データベースを構築する制御ブロックである。具体的には、用紙下地色分光データ保存部１５は、標準用紙（例えば、上質紙、コート紙、マットコート紙、アート紙等）及びユーザがダウンロード等の手段で予め登録した用紙の下地色の分光分布を保存している。
また、用紙下地色分光データ保存部１５は、スキャナ部２２の分光測定部１１で測定した出力用紙の分光分布（出力用紙の下地の分光分布）を保存する。
【００４３】
分光補正処理部１６は、操作パネル２８より指定された出力用紙の下地の分光分布を用紙下地色分光データ保存部１５から読み出して補正する制御ブロックである。具体的には、分光補正処理部１６は、演算部１４において求めた出力印刷物から反射される光の分光分布の分光強度の方が下地から反射される光の分光分布の分光強度よりも高いとき、出力印刷物から反射される光の分光分布の分光強度の値を、用紙の下地から反射される光の分光分布の分光強度の値よりも低い値又は同じ値に補正する処理を実行する。補正処理後の分光分布のデータは、分光データ保存部１２に送信され、分光データ保存部１２にて保存される。なお、補正処理の詳細は後述する。
【００４４】
刺激値ＸＹＺ変換部１７は、演算部１４において求めた出力印刷物から反射される光の分光分布、又は分光補正処理部１６において補正処理した出力印刷物から反射される光の分光分布を分光データ保存部１２から読み出し、三刺激値に変換する制御ブロックである。
【００４５】
ＣＭＹＫ変換プロファイル保存部１８は、ＣＭＹＫ出力値への変換プロファイル（変換テーブル）を保存する制御ブロックである。具体的には、ＣＭＹＫ変換プロファイル保存部１８は、刺激値ＸＹＺ変換部１７により算出された三刺激値の値を、出力用紙（標準用紙及び予めユーザが登録した用紙）の紙質特性に合わせたＣＭＹＫ出力値に変換するための変換プロファイルを保存している。
【００４６】
ＣＭＹＫ変換部１９は、三刺激値をＣＭＹＫ出力値に変換する制御ブロックである。具体的には、ＣＭＹＫ変換部１９は、操作パネル２８より指定された出力用紙の下地から反射される光の分光分布を用紙下地色分光データ保存部１５から読み出し、出力用紙がいかなる出力用紙であるかを判定する。さらに、ＣＭＹＫ変換部１９は、判定された出力用紙に応じた変換プロファイルをＣＭＹＫ変換プロファイル保存部１８から読み出し、刺激値ＸＹＺ変換部１７で求められた刺激値をＣＭＹＫ出力値に変換する。
【００４７】
次に、図４〜図６のフローチャートを参照しながら、図７〜図９の概念図（グラフ）を用いて、本実施形態の画像形成システム１により実行される画像形成処理の内容について説明する。また以下の説明により、画像形成処理を実行するための内容が明らかとなる。
図４〜図６は、画像形成装置により実行される画像形成処理の内容を示すフローチャートであり、図７〜図９は、画像形成処理の内容を説明するための概念図である。なお、図７〜図９に記載の各グラフにおいて、縦軸は光の強度を示しており、横軸は光の波長を示している。ただし、スペクトルＢ及びスペクトルＥのグラフに関しては、縦軸は反射率（物体が光を受けて反射する割合）を示している。
【００４８】
ここで、本実施形態で説明するスペクトルは、以下の通りである。
スペクトルＡ：スキャナ部の読み取り光源の分光分布
スペクトルＢ：原稿固有の分光反射率（％）
スペクトルＣ：スペクトルＡの光源下でスペクトルＢの物体から反射される光の分光分布
スペクトルＤ：出力印刷物を観察する環境光の分光分布
スペクトルＥ：色再現のために、出力印刷物に求められる分光反射率（％）
スペクトルＦ：スペクトルＡの光源下でスペクトルＥの物体から反射される光の分光分布
スペクトルＦ’：スペクトルＦを出力するべき用紙の下地色の明度を超えないように補正した分光分布
スペクトルα：スペクトルＡの光源下で、原稿の用紙や標準用紙、出力用紙等といった出力するべき用紙（出力の対象となる用紙）の下地から反射される光の分光分布
スペクトルβ：出力用紙の下地データベース内で、スペクトルαに最も近い分光分布
【００４９】
なお、スペクトルＡ、Ｄは、光源の分光分布であり、スペクトルＢ、Ｅは、原稿及び出力印刷物に固有の処理要素単位における分光反射率である。スペクトルＣ、Ｆ、Ｆ’は、原稿及び出力印刷物の処理要素単位における反射光の分光分布である。また、スペクトルα，βは、用紙の下地から反射される光の分光分布である。
【００５０】
〔メイン処理〕
図４は、画像形成装置により実行されるメイン処理について説明するフローチャートである。
ステップＳ１：スキャナ部２２により、原稿の読み込み処理が行われる。より詳しくは、ユーザが操作パネル２８を操作して、操作パネル２８により読み込み処理（コピー処理）が選択されると、スキャナ部２２の光源から原稿に光が当てられる（照射手順）。
【００５１】
図７を用いて説明すると、読み取り光源の分光分布（スペクトルＡ）を有する光を原稿に当てると、原稿固有の分光反射率（スペクトルＢ）に応じて、読み取り光源下で原稿から反射される光の分光分布（スペクトルＣ）が得られる（分光測定手順）。分光測定部１１は、読み取り光源下で原稿から反射される光の分光分布（スペクトルＣ）を処理要素単位（例えば、ピクセル単位）で測定して原稿の読み込み処理を行う。
【００５２】
このとき、測定対象となるのは、あくまでスペクトルＣであるため、スペクトルＢのデータは特に必要としない。すなわち、入力がスペクトルＡであり、そのスペクトルＡにスペクトルＢが影響することにより（スペクトルＢが要因となり）、出力としてのスペクトルＣが得られる。これを式で表現すると、スペクトルＣ＝スペクトルＡ×スペクトルＢとなる。
【００５３】
図４に戻り、ステップＳ２：分光データ保存部１２は、分光測定部１１により測定された読み取り光源下で原稿から反射される光の分光分布（スペクトルＣ）を受け取り保存する。
【００５４】
ステップＳ３：操作パネル２８は、観察環境光のユーザ指定を受け付ける。具体的には、操作パネル２８の表示画面に複数の観察環境ボタン（例えば、白色光、蛍光灯、間接照明、室内、屋外等の観察環境を選択するためのボタン）が表示され、そのいずれかのボタンをユーザが選択してタッチすることによりユーザからの指示を受け付ける。
【００５５】
ステップＳ４：演算部１４は、環境光分光データ保存部１３から、ステップＳ３にて指定された観察環境に対応する観察環境光の分光分布（スペクトルＤ）を読み出す。
【００５６】
ステップＳ５：演算部１４は、分光測定部１１により測定された原稿からの反射光の分光分布（スペクトルＣ）と、予め記憶されている観察環境光の分光分布（スペクトルＤ）とに基づいて、ステップＳ３にて指定された観察環境光下で色再現のために、出力対象となる出力印刷物に求められる分光反射率（スペクトルＥ）を演算する処理を行う（第１演算手順）。算出されたスペクトルＥは、色再現のために求められる出力印刷物固有の分光反射率である。
【００５７】
具体的には、演算部１４は、分光データ保存部１２からスペクトルＣを受け取り、単位波長ごとに、スペクトルＣの分光強度をスペクトルＤの分光強度で除算する演算処理を行う。演算部１４は、この演算処理にて、スペクトルＤの光を照射して得られる反射光の分光分布がスペクトルＣとなる出力印刷物固有の分光反射率（スペクトルＥ）を求めることができる。演算部１４は、算出された出力印刷物固有の分光反射率（スペクトルＥ）を分光データ保存部１２に保存する。
【００５８】
図８を用いて説明すると、観察環境光の分光分布（スペクトルＤ）に出力印刷物固有の分光反射率（スペクトルＥ）を乗算すると観察環境光で印刷物から反射される光の分光分布（スペクトルＣ）が算出されることが分かっている。そこで、現在すでに明らかとなっているスペクトルＣとスペクトルＤとに基づいて、スペクトルＥを算出する（スペクトルＥ＝スペクトルＣ÷スペクトルＤ；第２演算手順）。なお、以降の処理においては、読み取ったピクセル単位の分光分布のうち、同色のものはひとまとまりとして計算することが好ましい。
【００５９】
図４に戻り、ステップＳ６：演算部１４は、読み取り光源の分光分布（スペクトルＡ）と、ステップＳ５により算出された出力印刷物固有の分光反射率（スペクトルＥ）とに基づいて、出力印刷物から反射される光の分光分布（スペクトルＦ）を算出する。
【００６０】
具体的には、演算部１４は、単位波長ごとに、スペクトルＡの分光強度とステップＳ５の演算で得られたスペクトルＥの分光反射率を乗算する演算処理を行う。演算部１４は、この演算処理にて読み取り光源下で出力印刷物から反射される光の分光分布（スペクトルＦ）を求め、分光データ保存部１２に保存する。
【００６１】
図９を用いて説明すると、読み取り光源の分光分布（スペクトルＡ）と出力印刷物固有の分光反射率（スペクトルＥ）とを乗算し、読み取り光源下で出力印刷物から反射される光の分光分布（スペクトルＦ）を算出する。
図４に戻り、ステップＳ７：制御部１０は、出力用紙の下地色判定処理を行う。
【００６２】
〔出力用紙の下地色判定処理〕
図５は、出力用紙の下地色判定処理の詳細について説明するフローチャートである。
ステップＳ２１：操作パネル２８は、原稿の用紙と出力用紙の種類が同一であるか否かの指示をユーザ入力によって受け付ける。
具体的には、操作パネル２８の表示画面に「原稿の用紙と出力用紙の種類が同一であるか否か」等といった問い合わせの表示とともに、「ＹＥＳ」及び「ＮＯ」のボタンを表示し、そのいずれかのボタンをユーザがタッチすることによりユーザからの指示を受け付ける（以下のステップＳ２２，Ｓ２４においても同様である）。
【００６３】
ステップＳ２２：操作パネル２８は、原稿の背景が出力用紙の下地色と同一か否かの指示をユーザ入力によって受け付ける。
【００６４】
ステップＳ２３：操作パネル２８からの指示が原稿の用紙と出力用紙の種類が同一であり（ステップＳ２１；Ｙｅｓ）、かつ、原稿の背景が出力用紙の下地色と同一である場合（ステップＳ２２；Ｙｅｓ）、分光補正処理部１６は、分光データ保存部１２から、スペクトルＣのうち、原稿の用紙の下地に対応する処理要素単位から反射される光の分光分布（下地色スペクトルα）を読み出し、用紙下地色分光データ保存部１５に保存する。ここで、下地に対応する処理要素単位は、原稿の用紙の余白部分、例えば用紙の上端、下端、右端又は左端から数ミリ〜数センチメートルとして、予めメモリ３０に設定させておけばよい。
【００６５】
ステップＳ２４：上記条件外の場合、すなわち、操作パネル２８からの指示が原稿の用紙と出力用紙の種類が異なる場合（ステップＳ２１；Ｎｏ）、又は、原稿の背景が出力用紙の下地色と異なる場合（ステップＳ２２；Ｎｏ）、操作パネル２８は、出力用紙が標準用紙か否かの指示をユーザ入力によって受け付ける。
【００６６】
ステップＳ２５：出力用紙が標準用紙である場合（ステップＳ２４；Ｙｅｓ）、操作パネル２８は、使用する標準用紙の種類について、ユーザから選択の指示を受け付ける。
具体的には、操作パネル２８の表示画面に複数の標準用紙ボタン（例えば、上質紙、コート紙、マットコート紙、アート紙等のボタン）が表示されるので、そのいずれかのボタンをユーザが選択してタッチすることによりユーザからの指示を受け付ける。
【００６７】
ステップＳ２６：標準用紙の分光分布については、用紙下地色分光データ保存部１５に予め記憶されているので、分光補正処理部１６は、用紙下地色分光データ保存部１５からステップＳ２５で選択された標準用紙から読み取り光源下で反射される光の分光分布（下地色スペクトルα）を読み出す。
【００６８】
ステップＳ２７：出力用紙が標準用紙でない場合（ステップＳ２４；Ｎｏ）、操作パネル２８は、表示画面に出力用紙を読み込ませる旨の表示を行い、ユーザは出力用紙をスキャナ部２２に読み込ませる。
【００６９】
ステップＳ２８：ユーザが出力用紙をスキャナ部２２に読み込ませると、スキャナ部２２の分光測定部１１は、使用する出力用紙の分光分布を測定し、用紙下地色分光データ保存部１５は、分光測定部１１で測定した読み取り光源下で出力用紙から反射される光の分光分布（下地色スペクトルα）を受け取り、保存する。
そして、これらの処理を終えると、制御処理は、図４のステップＳ７の末尾のアドレスに復帰する。
【００７０】
図４に戻り、ステップＳ８：分光補正処理部１６は、用紙下地色分光データ保存部１５から読み出した下地色スペクトルαと、分光データ保存部１２から読み出したスペクトルＦの分光強度とを比較する。
【００７１】
ステップＳ９：分光補正処理部１６は、下地色スペクトルαよりもスペクトルＦの方が分光強度が低いと判断した場合（ステップＳ８；Ｎｏ）、スペクトルＦをそのまま読み込み、分光データ保存部１２に保存する。なお、スペクトルＦは、ステップＳ６で既に保存されたものと同一であるため、スペクトルＦのデータの内容は変化しない。
【００７２】
ステップＳ１０：分光補正処理部１６は、下地色スペクトルαよりもスペクトルＦの方が分光強度が高いと判断した場合（ステップＳ８；Ｙｅｓ）、スペクトルＦの補正処理を行う（補正手順）。
【００７３】
補正処理は、スペクトルＦの波形を維持しながら、すべての波長に対応するスペクトルＦの分光強度の値を下地色スペクトルαの分光強度の値よりも低い値又は同じ値に補正する処理である。
【００７４】
図１０は、補正処理の概念について示す図である。
図１０（Ａ）に示すように、スペクトルＦよりも下地スペクトルαの分光強度の方が高い場合、補正処理は特に行わない。
【００７５】
図１０（Ｂ）に示すように、下地色スペクトルαよりもスペクトルＦの分光強度の方が高い場合、スペクトルＦの波形を維持しながら、スペクトルＦの補正処理を行う。このような補正処理を行う理由は、下地色スペクトルαよりも強度（明度）が高い部分は印刷することができないからである。すなわち、下地色が白色の場合に、それよりも白い色の印刷を行うことはできないといった理由による。
【００７６】
図１０（Ｂ）の例では、すべての波長に関するスペクトルＦの分光強度が下地色スペクトルαの分光強度よりも高いわけではなく、一部の波長に関するスペクトルＦの分光強度が下地色スペクトルαの分光強度よりも高い例を示している。つまり、スペクトルＦの波形の頂上部分のみが、下地色スペクトルαの波形から飛び出している状態である。しかし、このように一部の波長に関するスペクトルＦの分光強度が下地色スペクトルαの分光強度よりも高い場合であっても補正処理を行う。
【００７７】
一部の波長に関するスペクトルＦの分光強度が下地色スペクトルαの分光強度よりも高い場合であっても補正処理を行う理由は、例え一部であっても下地色スペクトルαよりも分光強度が高い部分が存在すると、色としての表現ができなくなってしまうからである。
また、スペクトルＦの波形を維持しながら、スペクトルＦの補正処理を行う理由は、出力印刷物の全体の印象（出力イメージ）を保ちながら出力物を得るためである。
【００７８】
図１０（Ｂ）に示す例では、スペクトルＦの波形を単純に下方にスライドさせ、スペクトルＦの波形における頂点部分を下地色スペクトルαの波形に接触させて、スペクトルＦの波形を下地色スペクトルαの波形よりも下方に位置させている。
これにより、スペクトルＦの波形における頂点部分は、下地色スペクトルαの分光強度の値と同じ値に補正され、スペクトルＦのその他の部分は、下地色スペクトルαの分光強度の値よりも低い値に補正される。
【００７９】
図１０（Ｃ）に示すように、下地色スペクトルαよりもスペクトルＦの分光強度の方が高く、かつ、スペクトルＦの波形を単純に下方にスライドさせてしまってはスペクトルＦの波形がグラフからはみ出してしまう場合には、スペクトルＦの波形をそのまま維持しながら、スペクトルＦの波形を上下方向において圧縮させつつ下方にスライドさせて補正処理を行ってもよい。
【００８０】
このように、スペクトルＦの分光強度をすべての処理要素の各波長について同量（単純なスライドによる補正の場合）又は同比率（圧縮してスライドする補正の場合）で補正処理を行うことにより、出力イメージを保ちながら、印刷物の出力明度が出力用紙の下地色の明度を越えないように画像全体を予め補正することができる。
【００８１】
図４に戻り、ステップＳ１１：分光補正処理部１６は、ステップＳ１０で補正したスペクトルＦ’を分光データ保存部１２に保存する。
ステップＳ１２：制御部１０は、ＣＭＹＫ出力値（印刷用データ）への変換処理を行う（印刷用データ生成手順）。
【００８２】
〔ＣＭＹＫ出力値への変換処理〕
図６は、ＣＭＹＫ出力値への変換処理の詳細について説明するフローチャートである。
ステップＳ３１：ＣＭＹＫ変換部１９は、標準用紙及び予めユーザが登録した出力用紙の下地色のスペクトルデータのうち、下地色スペクトルαと同一又は近似の分光分布（下地色スペクトルβ）を用紙下地色分光データ保存部１５の下地データベース内から読み出す。ここで、下地色スペクトルαと同一の分光分布とは、下地色スペクトルαと同一の波形を有する下地色スペクトルβを意味している。制御処理が図５のステップＳ２５を経由している場合、図５のステップＳ２５にて選択した標準用紙の分光分布をスペクトルβとして使用することができる。また、下地色スペクトルαと近似の分光分布とは、下地色スペクトルαの波形に最も近い波形を有する下地色スペクトルβを意味している。
【００８３】
ステップＳ３２：ＣＭＹＫ変換部１９は、ステップＳ３１で読み出した下地色スペクトルβについて、出力用紙に印刷した際の三刺激値（ＸＹＺ）とＣＭＹＫ出力値との変換プロファイルを、ＣＭＹＫ変換プロファイル保存部１８から読み出す。
【００８４】
ステップＳ３３：刺激値ＸＹＺ変換部１７は、分光データ保存部１２から図４のステップＳ９又はＳ１０で保存したスペクトルＦ又はスペクトルＦ’を読み出す。刺激値ＸＹＺ変換部１７は、読み出したスペクトルＦ又はスペクトルＦ’に、人間の目に対応する分光感度を乗算する処理を行うことにより、三刺激値を算出する（三刺激値＝「スペクトルＦ又はスペクトルＦ’」×「人間の目に対応する分光感度」；三刺激値算出手順）。
【００８５】
より具体的には、三刺激値（ＸＹＺ）は、以下の物体色の定義式を用いて算出する。
Ｘ＝Ｋ∫Ｓ（λ）ｘ（λ）Ｒ（λ）ｄλ
Ｙ＝Ｋ∫Ｓ（λ）ｙ（λ）Ｒ（λ）ｄλ
Ｚ＝Ｋ∫Ｓ（λ）ｚ（λ）Ｒ（λ）ｄλ
Ｋ＝１００／｛∫Ｓ（λ）ｙ（λ）ｄλ｝
【００８６】
上記式において、
Ｓ（λ）：読み取り光源の波長λにおける分光強度；スペクトルＡの分光強度に該当
ｘ（λ），ｙ（λ），ｚ（λ）：ＸＹＺ表色系における等色関数；人間の目に対応する波長λにおける分光感度に該当
Ｒ（λ）：読み取り光源（スペクトルＡ）を照射して、反射される光の分光分布がスペクトルＦ又はスペクトルＦ’となる物体の波長λにおける分光反射率。例えば、ステップＳ３３で読み出された分光分布がスペクトルＦの場合は、Ｒ（λ）はスペクトルＥの分光反射率に該当する。
Ｋ：比例係数（Ｋは三刺激値Ｙの値が測光量に一致するように定める）
である。
【００８７】
また、上記の定義式は以下のように表現することができる。
Ｘ＝Ｋ∫Ｐ（λ）ｘ（λ）ｄλ
Ｙ＝Ｋ∫Ｐ（λ）ｙ（λ）ｄλ
Ｚ＝Ｋ∫Ｐ（λ）ｚ（λ）ｄλ
Ｋ＝１００／｛∫Ｓ（λ）ｙ（λ）ｄλ｝
上記式において、
Ｐ（λ）：スペクトルＦ又はスペクトルＦ’の波長λにおける分光強度に該当
【００８８】
上記いずれの定義式を用いても、三刺激値（ＸＹＺ）を算出することはできるが、三刺激値（ＸＹＺ）の算出処理においては、スペクトルＦ’に対応するスペクトルＥ’はわざわざ算出する必要はないので、実際には後者の定義式を用いる方が効率よく算出処理を行うことができる。
【００８９】
ステップＳ３４：ＣＭＹＫ変換部１９は、ＣＭＹＫ変換プロファイル保存部１８から読み出した変換プロファイルを元に、出力用紙で色再現されるように刺激値ＸＹＺ変換部１７で求めた三刺激値をＣＭＹＫ出力値に変換する。ＣＭＹＫ変換プロファイル保存部１８には、用紙種別ごとに変換プロファイルが予め用意されているので、紙質特性に合わせた変換プロファイルを使用することで、出力用紙の紙質によってＣＭＹＫ出力値を変え、色再現性を向上させることができる。
そして、これらの処理を終えると、制御処理は、図４のステップＳ１２の末尾のアドレスに復帰する。
【００９０】
図４に戻り、ステップＳ１３：最後に、制御部１０は、プリント出力処理を実行する。具体的には、制御部１０は、ステップＳ３４で算出したＣＭＹＫ出力値をプリントエンジン２０に送信し、プリントエンジン２０は、受信したＣＭＹＫ出力値に基づいて印刷処理を実行する（印刷処理手順）。
【００９１】
図１１は、画像形成装置による印刷イメージを概念的に説明する図である。
図１１（Ａ）に示す原稿１００を画像形成装置４にてスキャンしてそのまま印刷すると、図１１（Ｂ）に示す印刷物１００ａとなる。
【００９２】
図１１（Ａ）に示す原稿１００は、太陽光（自然光）の環境で観察されているので、図１１（Ｂ）に示す印刷物１００ａは、太陽光の環境で観察された場合、色合い等が問題なく再現される。
しかし、図１１（Ｃ）に示すように、その印刷物１００ａを白熱電球の環境で観察すると、観察環境の相違により、印刷物１００ａが色あせて見えてしまう。
【００９３】
これに対して、観察環境を白熱電球と指定して上述した変換処理を適用した印刷物１００ｂは、図１１（Ｄ）に示すように、白熱電球の環境で観察した場合であっても、図１１（Ａ）に示す原稿１００と同等の色合いで観察することができる。ただし、上述した変換処理を適用した印刷物１００ｂは、変換処理を適用しているがゆえに、太陽光の環境で観察した場合には、図１１（Ｅ）に示すように、図１１（Ａ）に示す原稿１００とは異なる色合いで観察されることになる。
【００９４】
このように、本実施形態によれば、原稿固有の分光分布（スペクトルＣ）と観察環境光の分光分布（スペクトルＤ）とに基づいて太陽光や白熱電球等の観察環境光を考慮した出力印刷物固有の分光反射率（スペクトルＥ）を算出する。更に、出力印刷物固有の分光反射率（スペクトルＥ）と読み取り光源の分光分布（スペクトルＡ）とに基づき、この出力印刷物に読み取り光源を照射して得られる反射光の分光分布（スペクトルＦ）を算出し、観察環境光を考慮したＣＭＹＫ出力値を算出するための入力データを得ることができる。
【００９５】
また、ＣＭＹＫ出力値を生成する際には、原稿の用紙の下地色や標準用紙等の出力用紙に応じたＣＭＹＫ出力値を生成するので、出力用紙を考慮したＣＭＹＫ出力値を生成することができる。
したがって、原稿を読み込み、環境光を設定するだけの簡単な処理により、観察環境光及び出力用紙の違いを考慮に入れた画像の出力処理（コピー処理）を行うことができる。
【００９６】
また、スキャナ部２２で読み込まれた原稿の色を、異種の出力用紙に出力し、異環境光下で観察した際にも同色に見えるように、環境光や紙の種類、周囲色を考慮し、背景色（紙の色を含む）をも考慮した印刷により色再現することができ、原稿と同様の色が再現されるコピーを出力することができる。
【００９７】
さらに、スペクトルＡの光源下で出力印刷物から反射される光の分光分布（スペクトルＦ）の分光強度が出力用紙の下地から反射される光の分光分布（下地色スペクトルα）の分光強度よりも高い場合、スペクトルＦを補正する。具体的には、スペクトルＦの波形を維持しながら、すべての波長に関してスペクトルＦを用紙の下地から反射される光の分光分布（下地色スペクトルα）の分光強度よりも低い値又は同じ値に補正する。このことにより、印刷部と周囲色との色差を和らげ、出力印刷物の全体の印象（出力イメージ）を保ちながら出力物を得ることができる。
【００９８】
すなわち、用紙の下地色よりも出力対象の画像の明度が高く、背景等が忠実に色再現されない場合であっても、出力印刷物から反射される光の分光分布の波形を維持しながら分光強度の補正を行う。このことにより、出力画像全体としての印象が変わらない出力物を得ることができる。
また、分光分布を用いて各波長ごとに波長全体を補正することで、より正確に環境光を考慮に入れたコピーを出力することができる。
【００９９】
さらにまた、物体色の定義式を用いることにより、出力印刷物から反射される光の分光分布（スペクトルＦ又はスペクトルＦ’）から、物体の三刺激値を算出し、算出された物体の三刺激値に基づいて、ＣＭＹＫ出力値を生成するので、定められた定義式を用いて簡単かつ迅速に変換処理を行うことができる。
【０１００】
本実施形態の利用例として、野外や室内など、どのような環境であっても、掲示するポスターの企業ロゴの色を再現した複製を簡単に印刷したい場合や、商品の色見本を照明の異なるフロアで提示する場合に好適に利用可能である。
【０１０１】
また、スキャナ部２２にてスペクトルを測定する必要があるものの、演算処理そのものは容易であり、スペクトルを測定する機能があれば実施可能であり、実施に当たって技術的に及びコスト面で優位である。
【０１０２】
本発明は、上述した一実施形態に制約されることなく、各種の変形や置換を伴って実施することができる。また、一実施形態で挙げた画像形成装置等の構成はいずれも好ましい例示であり、これらを適宜変形して実施可能であることはいうまでもない。さらに、画像形成プログラムは、環境光、紙の種類を考慮に入れた各種の色変換処理にも適用することができる。
【符号の説明】
【０１０３】
１  画像形成システム
４  画像形成装置
１０  制御部
１１  分光測定部
１２  分光データ保存部
１３  環境光分光データ保存部
１４  演算部
１５  用紙下地色分光データ保存部
１６  分光補正処理部
１７  刺激値ＸＹＺ変換部
１８  ＣＭＹＫ変換プロファイル保存部
１９  ＣＭＹＫ変換部
２０  プリントエンジン
２２  スキャナ部
２８  操作パネル
３０  メモリ
３２  ＨＤＤ
【図１】
2012090100.tif 000003
【図２】
2012090100.tif 000004
【図３】
2012090100.tif 000005
【図４】
2012090100.tif 000006
【図５】
2012090100.tif 000007
【図６】
2012090100.tif 000008
【図７】
2012090100.tif 000009
【図８】
2012090100.tif 000010
【図９】
2012090100.tif 000011
【図１０】
2012090100.tif 000012
【図１１】
2012090100.tif 000013